(57)【要約】【課題】木製の動物型フックを壁に掛けるとき、ピンが壁に直角では落下のおそれがある。またフックは手前に突き出ているため梱包に支障をきたす。壁に掛けても重量に耐えられるように，ピンを斜めに刺すことができ、且つフックを左右に９０度曲げることの出来る壁掛けフックを提供する。【解決手段】ピンを斜刺する動物型磁石付きフック本体（２）を右側面から見て左上部から斜め右下に穴（３）をあけ，ピン（１）を斜刺出来るようにして，重量に耐え、ビニールで覆われたスチールの針金でＵの字にして下部に接着剤で取り付けることによりフックを左右に９０度曲げることができることを特徴とする。【選択図】図２
2015002897.tif 000002
【特許請求の範囲】
【請求項１】
ピンを斜刺する動物型磁石付きフック本体（２）を木製で作り，右側面から見て左上部から斜め右下に穴（３）をあけ，ピン（１）を斜刺出来るようにして，本体（２）を正面から見て下部から上に向かって穴（１０）をあけ，ビニール（６）で覆ったスチールの針金（５）でフックを作り，穴（１０）から上に向かって刺しこみ接着剤（７）で固定し，本体（２）の中心部の背面には磁石（４）を設け，フックの外部に出る先端部分にはポリプロピレンでボール状の飾り（８）を取り付け，スチールの針金（５）とビニール（６）の接する部分は接着剤で固定していないため輸送する場合は破損しないようにフック（９）を左右に９０度回転できる構造にした，ピンを斜刺する動物型磁石付きフック。
【請求項２】
本体（２）の木製の動物の顔の絵を，木製の植物の絵に変えて使用した請求項１記載のピンを斜刺する動物型磁石付きフック。
【発明の詳細な説明】
【技術分野】
【０００１】
本発明は，木材で動物を製作しピンを斜刺して壁に固定し，背面に磁石を備えた、ピンを斜刺する動植物型磁石付きフックに関する。
【背景技術】
【０００２】
木材で動物の顔を製作して，ピンで斜刺して壁に固定し，鉄製の壁には磁石で固定でき、フックを左右９０度に曲げることが出来るものを発明したが本発明のような構造のものは他に見当たらない。
特許文献１・特許文献２・特許文献３はいずれもマグネット付きフックに関するものであり，特許文献４は板状ピンを用いた壁装着具の記載であるが，構造に違いがある。
【先行技術文献】
【特許文献】
【０００３】
【特許文献１】特開2010-240034号公報
【特許文献２】特開2010-131346号公報
【特許文献３】実開平05-028270号公報
【特許文献４】特開2013-027683号公報
【発明の概要】
【発明が解決しようとする課題】
【０００４】
従来，動物を木材で製作して，下部にフックを取り付けて其のフックに物を掛ける民芸品は多々あった。これらは紐・ピンを用いて壁に掛けて使用されていた。ピンは壁に向かって直角に差し込んで固定するために、わずかな重量にも耐えづらく落下し、あるいは歪んで固定されることが多かった。
又、動物の正面下部からフックが手前に突き出ているため，梱包するのに不便であり、且つ運送の際破損の原因にもなる。これらの欠点は解決しなければならない課題である。
【課題を解決するための手段】
【０００５】
本発明は，課題を解決するため以下の構成とする。
木製の動物の顔の上部に斜めに穴をあけ、この穴を通して壁に斜めにピンを刺し、木製の動物の顔を壁に固定できるようにした。
木製の動物の下部に穴をあけ、ビニールで覆われたスチールの針金でフックを作ったものを穴に差し込み接着剤で固定した。
フックの先端にポリプロピレンのボール状の飾りを取り付けた。
金属製のものに固定させるために、木製の動物の顔の背面に磁石を取り付けた。
【０００６】
ピンを斜刺する動物型磁石付きフック本体（２）を右側面から見て左上部から斜め右下に穴（３）をあけ，ピン（１）を斜刺出来るようにした。
本体（２）に斜めの穴をあけたために、背面を壁に密着させて穴にピンを通せば本体（２）は壁をずり落ちにくくなる。
斜めに刺しこんだピンのため直角に壁に刺し込んだ従来の構造から比較してフック（９）にものをかけても重量に耐えられる。
【０００７】
通常木材で製作した動物の顔の下部のフック（９）は手前に突き出ているため商品として発送する際は梱包し辛い，また輸送の際は破損の原因にもなる。本発明はビニール（６）で覆われたスチールの針金（５）でフックを作り本体（２）に接着剤（７）で固定しているためにビニールの管（６）のみが木製の動物に接着されて固定され、内部のスチールの針金は自由に左右に折り曲げることが出来る。このためにフック（９）を左右に９０度折り曲げても破損ない。
これは内部の針金（５）とビニール（６）の接する部分は，接着剤で固定されていないため，フック（９）のＵの字部分を指でひねって，左右に９０度に曲げてもビニールのだけがねじれるため破損しない。
【発明の効果】
【０００８】
イ．本発明の本体（２）を壁に密着させて，ピン（１）で斜刺してフックに物を掛けても重量に耐えられる。
ロ． 梱包のときにフックの手前への突き出しが邪魔なときは左右に畳めるので容易であり、輸送中も破損の恐れがない。
ハ．背面に磁石を設けているので、金属には磁石を用いて固定することが出来る。
ニ．形状が全て簡単であり、コストも安く出来る。
【図面の簡単な説明】
【０００９】
【図１】本発明の正面図
【図２】本発明の右側面から見た断面説明図
【図３】本発明の背面から見た断面説明図
【図４】フックを左に回転させた正面図
【発明を実施するための形態】
【００１０】
発明の実施形態について説明する。
本体（２）を右側面から見て，木製の動物の顔の上部左から右下に斜めに穴をあけ、この穴を通して壁に斜めにピンを刺し、木製の動物の顔を壁に固定できるようにした。
正面から見て，木製の動物の顔の下部にうえに向かって穴（１０）をあけ、ビニール（６）で覆われたスチールの針金（５）でフックを作ったものを穴に差し込み接着剤で固定した。
フックの先端にポリプロピレンのボール状の飾り（８）を取り付けた。
金属製のものに固定させるために、木製の動物の背面に磁石（４）を取り付けた。
【００１１】
ピンを斜刺する動物型磁石付きフック本体（２）を右側面から見て左上部から斜め右下に穴（３）をあけ，ピン（１）を斜刺出来るようにした。
本体（２）に斜めの穴をあけたために、背面を壁に密着させて穴にピンを通せば本体（２）は壁に密着して落下を防ぎやすくなる。
ピンを斜めに刺しこんだため、直角に壁に刺し込んだ従来の構造から比較してフック（９）にものをかけても重量に耐えられる。
【００１２】
通常木材で製作した動物下部のフック（９）は手前に突き出ているため商品として発送する際は梱包し辛い，また輸送の際は破損の原因にもなる。本発明は本体（２）を正面から見て下部から上に向かって穴（１０）をあけ，ビニール（６）で覆われたスチールの針金（５）でフックを作り、穴（１０）に接着剤（７）で固定しているためにビニール（６）のみが木製の動物の顔に接着されて固定され、内部のスチールの針金（５）は自由に左右に折り曲げることが出来る。このためにフック（９）を左右に９０度折り曲げても損傷しない。
そのため，梱包や輸送の際に破損する事が激減する。
【符号の説明】
【００１３】
（１）    ピン
（２）    ピンを斜刺する動物型磁石付きフック本体
（３）    ピンを通す斜刺穴
（４）    磁石
（５）    スチール製針金
（６）    ビニール
（７）    接着剤
（８）    ポリプロピレンのボール状の飾り
（９）    フック
（１０）  木製動物の下部の穴
【図１】
2015002897.tif 000003
【図２】
2015002897.tif 000004
【図３】
2015002897.tif 000005
【図４】
2015002897.tif 000006